【手続補正書】
【提出日】平成25年7月24日(2013.7.24)
【手続補正１】
【補正対象書類名】特許請求の範囲
【補正対象項目名】請求項１
【補正方法】変更
【補正の内容】
【請求項１】
底板の上方に設けられ、前記底板の長手方向に沿って左右に長く形成される長辺部及び前記長辺部の左右どちらか一方から前方へ屈曲する短辺部を有する熱交換器と、前記熱交換器の前記長辺部の前方に配置され、室外の空気を後方から吸い込み前方へと送風する送風機と、を備え、前記熱交換器から滴下するドレン水を前記底板に設けたドレン排水口から外部へ排出するヒートポンプ装置の熱源機であって、前記底板の前記熱交換器の下面と対向する位置に前記ドレン排水口を２箇所のみ設け、一方のドレン排水口を前記熱交換器の前記長辺部の左右の中間位置に設け、他方のドレン排水口を前記熱交換器の前記短辺部の前面の下の位置に四角形の穴で形成し、前記他方のドレン排水口を前記熱交換器と前記底板を上下方向から平面的に見て前記熱交換器の前記短辺部の前面の位置が前記他方のドレン排水口の内側に位置するように設け、前記熱交換器の前記短辺部の前面から滴下するドレン水を、前記底板が受けることなく前記他方のドレン排水口から外部へ排出するようにしたことを特徴とするヒートポンプ装置の熱源機。
【手続補正２】
【補正対象書類名】特許請求の範囲
【補正対象項目名】請求項２
【補正方法】変更
【補正の内容】
【請求項２】
底板の上方に設けられ、前記底板の長手方向に沿って左右に長く形成される長辺部及び前記長辺部の左右どちらか一方から前方へ屈曲する短辺部を有する熱交換器と、前記熱交換器の前記長辺部の前方に配置され、室外の空気を後方から吸い込み前方へと送風する送風機と、を備え、前記熱交換器から滴下するドレン水を前記底板に設けたドレン排水口から外部へ排出するヒートポンプ装置の熱源機であって、前記ドレン排水口を前記熱交換器の前記短辺部の前面の下の位置に形成し、前記ドレン排水口を前記熱交換器と前記底板を上下方向から平面的に見て前記熱交換器の前記短辺部の前面の位置が前記ドレン排水口の内側に位置するように設け、前記熱交換器の前記短辺部の前面から滴下するドレン水を、前記底板が受けることなく前記ドレン排水口から外部へ排出するようにしたことを特徴とするヒートポンプ装置の熱源機。
【手続補正３】
【補正対象書類名】明細書
【補正対象項目名】０００８
【補正方法】変更
【補正の内容】
【０００８】
本発明に係るヒートポンプ装置の熱源機は、底板の上方に設けられ、前記底板の長手方向に沿って左右に長く形成される長辺部及び前記長辺部の左右どちらか一方から前方へ屈曲する短辺部を有する熱交換器と、前記熱交換器の前記長辺部の前方に配置され、室外の空気を後方から吸い込み前方へと送風する送風機と、を備え、前記熱交換器から滴下するドレン水を前記底板に設けたドレン排水口から外部へ排出するヒートポンプ装置の熱源機であって、前記底板の前記熱交換器の下面と対向する位置に前記ドレン排水口を２箇所のみ設け、一方のドレン排水口を前記熱交換器の前記長辺部の左右の中間位置に設け、他方のドレン排水口を前記熱交換器の前記短辺部の前面の下の位置に四角形の穴で形成し、前記他方のドレン排水口を前記熱交換器と前記底板を上下方向から平面的に見て前記熱交換器の前記短辺部の前面の位置が前記他方のドレン排水口の内側に位置するように設け、前記熱交換器の前記短辺部の前面から滴下するドレン水を、前記底板が受けることなく前記他方のドレン排水口から外部へ排出するようにしたものである。
【手続補正４】
【補正対象書類名】明細書
【補正対象項目名】０００９
【補正方法】変更
【補正の内容】
【０００９】
また、本発明に係るヒートポンプ装置の熱源機は、底板の上方に設けられ、前記底板の長手方向に沿って左右に長く形成される長辺部及び前記長辺部の左右どちらか一方から前方へ屈曲する短辺部を有する熱交換器と、前記熱交換器の前記長辺部の前方に配置され、室外の空気を後方から吸い込み前方へと送風する送風機と、を備え、前記熱交換器から滴下するドレン水を前記底板に設けたドレン排水口から外部へ排出するヒートポンプ装置の熱源機であって、前記ドレン排水口を前記熱交換器の前記短辺部の前面の下の位置に形成し、前記ドレン排水口を前記熱交換器と前記底板を上下方向から平面的に見て前記熱交換器の前記短辺部の前面の位置が前記ドレン排水口の内側に位置するように設け、前記熱交換器の前記短辺部の前面から滴下するドレン水を、前記底板が受けることなく前記他方のドレン排水口から外部へ排出するようにしたものである。
【手続補正５】
【補正対象書類名】明細書
【補正対象項目名】００１０
【補正方法】変更
【補正の内容】
【００１０】
この発明のヒートポンプ装置の熱源機は、底板の上方に設けられ、前記底板の長手方向に沿って左右に長く形成される長辺部及び前記長辺部の左右どちらか一方から前方へ屈曲する短辺部を有する熱交換器と、前記熱交換器の前記長辺部の前方に配置され、室外の空気を後方から吸い込み前方へと送風する送風機と、を備え、前記熱交換器から滴下するドレン水を前記底板に設けたドレン排水口から外部へ排出するヒートポンプ装置の熱源機であって、前記底板の前記熱交換器の下面と対向する位置に前記ドレン排水口を２箇所のみ設け、一方のドレン排水口を前記熱交換器の前記長辺部の左右の中間位置に設け、他方のドレン排水口を前記熱交換器の前記短辺部の前面の下の位置に四角形の穴で形成し、前記他方のドレン排水口を前記熱交換器と前記底板を上下方向から平面的に見て前記熱交換器の前記短辺部の前面の位置が前記他方のドレン排水口の内側に位置するように設け、前記熱交換器の前記短辺部の前面から滴下するドレン水を、前記底板が受けることなく前記他方のドレン排水口から外部へ排出するようにしたので、熱交換器の短辺部の前面から多量に発生するドレン水の排水を容易にして熱交換器から発生するドレン水の排水不良を防止でき、底板上でのドレン水の凍結を防止してドレン水の凍結による熱交換器やプロペラファンの破損及び熱交換器の熱交換効率の低下を防止できる効果がある。また、ドレン排水口の数が少なく、他方のドレン排水口も四角形の穴に形成して小さな穴にできるので、底板の強度低下を防止して、底板を安価で軽量にできるという効果がある。
【手続補正６】
【補正対象書類名】明細書
【補正対象項目名】００１１
【補正方法】変更
【補正の内容】
【００１１】
また、この発明のヒートポンプ装置の熱源機は、底板の上方に設けられ、前記底板の長手方向に沿って左右に長く形成される長辺部及び前記長辺部の左右どちらか一方から前方へ屈曲する短辺部を有する熱交換器と、前記熱交換器の前記長辺部の前方に配置され、室外の空気を後方から吸い込み前方へと送風する送風機と、を備え、前記熱交換器から滴下するドレン水を前記底板に設けたドレン排水口から外部へ排出するヒートポンプ装置の熱源機であって、前記ドレン排水口を前記熱交換器の前記短辺部の前面の下の位置に形成し、前記ドレン排水口を前記熱交換器と前記底板を上下方向から平面的に見て前記熱交換器の前記短辺部の前面の位置が前記ドレン排水口の内側に位置するように設け、前記熱交換器の前記短辺部の前面から滴下するドレン水を、前記底板が受けることなく前記他方のドレン排水口から外部へ排出するようにしたので、熱交換器の短辺部の前面から多量に発生するドレン水の排水を容易にして熱交換器から発生するドレン水の排水不良を防止でき、底板上でのドレン水の凍結を防止してドレン水の凍結による熱交換器やプロペラファンの破損及び熱交換器の熱交換効率の低下を防止できるという効果がある。